(57)【特許請求の範囲】
【請求項１】
外力により開閉自在なクリップと、上記クリップの基端に係脱自在に連結されたクリップ連結フックと、上記クリップを強制的に閉じた状態にするためのクリップ閉じリングとが仮止め手段によって一体的にユニット化され、上記クリップを先端内に収容可能なシース内に、上記クリップ連結フックと連結するための連結部材が先端に取り付けられた操作ワイヤと、上記クリップ閉じリングを先端で支持するためのリング支持管とが挿通配置された内視鏡用ユニット式クリップ装置において、
連結された状態の上記クリップ連結フックと上記連結部材とに連続的に被嵌されることにより、上記クリップ連結フックと上記連結部材を真っ直ぐな連結状態に保持する筒状体を設けたことを特徴とする内視鏡用ユニット式クリップ装置。
【請求項２】
上記筒状体が、上記操作ワイヤの先端部分に沿って軸線方向に移動自在に配置されている請求項１記載の内視鏡用ユニット式クリップ装置。
【発明の詳細な説明】
【０００１】
【発明の属する技術分野】
この発明は、内視鏡の処置具挿通チャンネルに通して使用されて、体内の止血、結紮或いはマーキング等を行うために用いられる内視鏡用ユニット式クリップ装置に関する。
【０００２】
【従来の技術】
図９は、従来の内視鏡用ユニット式クリップ装置の使用前の状態の先端部分を示しており、外力により開閉自在なクリップ２と、そのクリップ２の基端に係脱自在に連結されたクリップ連結フック４と、クリップ２を強制的に閉じた状態にするためのクリップ閉じリング６とが粘着性の低い粘着剤等からなる仮止め手段９によって一体的にユニット化されている。
【０００３】
また、クリップ２を先端内に収容可能なシース１内に、クリップ連結フック４と連結するための連結部材５が先端に取り付けられた操作ワイヤ３と、クリップ閉じリング６を先端で支持するためのリング支持管７とが挿通配置されている。
【０００４】
【発明が解決しようとする課題】
上述のような従来の内視鏡用ユニット式クリップ装置は、クリップ２のユニットをシース１側に装着する際には、連結部材５の先端に突設された係合ピン５ａをクリップ連結フック４に穿設された係合孔４ａに通して、連結部材５とクリップ連結フック４とを連結するようになっている。
【０００５】
しかし、そのように連結部材５の係合ピン５ａをクリップ連結フック４の係合孔４ａに通した状態では、図１０に示されるように、クリップ連結フック４が連結部材５に対して自由に首を振って真っ直ぐにならないため、クリップ閉じリング６をリング支持管７の先端に正しく嵌め込む等のセッティング作業が難しく、不完全なセッティング状態で使用して破損してしまう場合があった。
【０００６】
そこで本発明は、クリップのユニットをシース側に装着する際に、セッティングを容易に行うことができて、常に正しい状態で使用することができる内視鏡用ユニット式クリップ装置を提供することを目的とする。
【０００７】
【課題を解決するための手段】
上記の目的を達成するため、本発明の内視鏡用ユニット式クリップ装置は、外力により開閉自在なクリップと、クリップの基端に係脱自在に連結されたクリップ連結フックと、クリップを強制的に閉じた状態にするためのクリップ閉じリングとが仮止め手段によって一体的にユニット化され、クリップを先端内に収容可能なシース内に、クリップ連結フックと連結するための連結部材が先端に取り付けられた操作ワイヤと、クリップ閉じリングを先端で支持するためのリング支持管とが挿通配置された内視鏡用ユニット式クリップ装置において、連結された状態のクリップ連結フックと連結部材とに連続的に被嵌されることにより、クリップ連結フックと連結部材を真っ直ぐな連結状態に保持する筒状体を設けたものである。
【０００８】
なお、筒状体が、操作ワイヤの先端部分に沿って軸線方向に移動自在に配置されていてもよい。
【０００９】
【発明の実施の形態】
図面を参照して本発明の実施例を説明する。
図３は内視鏡用ユニット式クリップ装置の全体構成を示しており、例えば四フッ化エチレン樹脂チューブ等からなる可撓性のシース１の先端部分にクリップ２が配置されている。クリップ２は外力によって開閉させることができるが、図３にはクリップ２が開いた状態が示されている。
【００１０】
シース１の基端に連結された操作部２０は、端部に指掛け２３ａが取り付けられた本体軸２３にスライダー２２がスライド自在に取り付けられ、シース１の基端に取り付けられた基端筒状体２１が本体軸２３及びスライダー２２に対して独立してスライド自在に配置されて構成されている。
【００１１】
図４は、体内患部１００の粘膜を挟み付けた状態に留置されたクリップ２を示している。クリップ２は、例えばバネ用ステンレス鋼板等を曲げて一つながりに形成されていて、一対の腕部２ａの各先端部分から爪状部２ｂが内方に折れ曲がって突出形成されている。
【００１２】
一対の腕部２ａの基端側は、やや四角張ったα状に形成された基端連結部２ｃにより連結された構成になっており、基端連結部２ｃを変形させることによって腕部２ａが開閉する。
【００１３】
留置状態においては、クリップ２の基端連結部２ｃが後述する短筒状のクリップ閉じリング６内に引き込まれて、クリップ閉じリング６が先端でクリップ２の一対の腕部２ａを背側から押すのと同時に基端連結部２ｃを変形させ、それによって一対の腕部２ａが平行に閉じた状態になり、一対の腕部２ａが患部１００を挟み付けた状態に保持される。
【００１４】
図５は、使用前の状態の内視鏡用ユニット式クリップ装置の先端部分を示しており、クリップ連結フック４が鉤状に曲がった先端部分でクリップ２の基端部分に係合連結されると共に、クリップ２を強制的に閉じた状態にするための短筒状のクリップ閉じリング６が、クリップ２とクリップ連結フック４との連結部分を囲む状態に配置されている。
【００１５】
そして、クリップ閉じリング６の内部空間に例えば粘着性の低い粘着剤等からなる仮止め手段９が充填されており、それによって、クリップ２とクリップ連結フック４とクリップ閉じリング６とが相対的に簡単に移動しないように一体的にユニット化されている。ただし、少し強い外力を加えれば、仮止め手段９が崩れてユニット状態が解消される。
【００１６】
シース１内には、操作部２０の本体軸２３に基端が取り付けられた例えば四フッ化エチレン樹脂チューブ等からなるリング支持管７と、操作部２０のスライダー２２に基端が取り付けられた操作ワイヤ３とが、相対的に各々独立して軸線方向に進退自在に挿通配置されている。操作ワイヤ３の先端には、クリップ連結フック４と連結するための連結部材５が取り付けられている。
【００１７】
連結部材５には、クリップ連結フック４に穿設された係合孔４ａに差し込まれる係合ピン５ａが横向き（操作ワイヤ３の軸線に対して垂直方向）に突設されており、リング支持管７の先端内周面には、クリップ閉じリング６が嵌め込まれる座繰り状部７ａが形成されている。
【００１８】
連結部材５は、円柱状部材を部分的に削った形状に形成されている。また、クリップ連結フック４は板状の部材であるが、幅が連結部材５の外径寸法とほぼ同寸法に形成されている。
【００１９】
そして、連結部材５が嵌挿されるサイズの真っ直ぐな筒状体５ｂが、操作ワイヤ３の先端部分を囲むように軸線方向に進退自在に配置されている。この筒状体５ｂは、連結部材５全体とクリップ連結フック４の中程までの範囲が一緒に差し込まれる長さに形成されている。
【００２０】
このように構成された内視鏡用ユニット式クリップ装置を使用するために、クリップ２のユニットをシース１側に装着する際には、クリップ連結フック４の係合孔４ａに連結部材５の係合ピン５ａを差し込む。
【００２１】
すると、クリップ連結フック４と連結部材５が連結されるが、それだけでは、図６に示されるように連結部を中心にしてクリップ連結フック４が連結部材５に対して自由に回転して首を振る状態になる。
【００２２】
そこで、図１に示されるように、筒状体５ｂを操作ワイヤ３側から連結部材５側にスライドさせて、連結部材５とクリップ連結フック４を連結状態のまま筒状体５ｂ内に嵌挿させる。
【００２３】
そのようにすることにより、連結部材５とクリップ連結フック４との連結部分が一つの真っ直ぐな筒状体５ｂ内で真っ直ぐな状態になるので、操作ワイヤ３を操作部２０側に引き寄せるだけで、図２に示されるように、クリップ閉じリング６がリング支持管７の座繰り状部７ａにスムーズに嵌め込まれる。
【００２４】
そこで、シース１を先側に送り出せば、図７と図８に側面断面図と正面断面図が示されるように、クリップ２が弾性変形して窄まった状態でシース１の先端内に収容され、使用準備が完了する。
【００２５】
【発明の効果】
本発明によれば、操作ワイヤの先端に取り付けられた連結部材とクリップ連結フックとを連結して、そこに筒状体を連続的に被嵌することにより、クリップ連結フックと連結部材が真っ直ぐな連結状態になってその状態が保持されるので、クリップのユニットをシース側に装着する際に、セッティングを容易に行うことができて、常に正しい状態で使用することができる。
【図面の簡単な説明】
【図１】本発明の実施例の内視鏡用ユニット式クリップ装置の使用準備中の状態の先端部分の側面断面図である。
【図２】本発明の実施例の内視鏡用ユニット式クリップ装置の使用準備中の状態の先端部分の側面断面図である。
【図３】本発明の実施例の内視鏡用ユニット式クリップ装置の全体構成を示す外観正面図である。
【図４】本発明の実施例の内視鏡用ユニット式クリップ装置の留置状態のクリップの正面断面図である。
【図５】本発明の実施例の内視鏡用ユニット式クリップ装置の使用準備中の状態の先端部分の正面断面図（クリップ側のユニットは側面断面図）である。
【図６】本発明の実施例の内視鏡用ユニット式クリップ装置の使用準備中の状態の先端部分の側面断面図である。
【図７】本発明の実施例の内視鏡用ユニット式クリップ装置の使用準備が完了した状態の先端部分の側面断面図である。
【図８】本発明の実施例の内視鏡用ユニット式クリップ装置の使用準備が完了した状態の先端部分の正面断面図である。
【図９】従来の内視鏡用ユニット式クリップ装置の使用準備中の状態の先端部分の側面断面図である。
【図１０】従来の内視鏡用ユニット式クリップ装置の使用準備中の状態の先端部分の側面断面図である。
【符号の説明】
１  シース
２  クリップ
３  操作ワイヤ
４  クリップ連結フック
４ａ  係合孔
５  連結部材
５ａ  係合ピン
５ｂ  筒状体
６  クリップ閉じリング
７  リング支持管
９  仮止め手段
【図１】
0004598172.tif 000002
【図２】
0004598172.tif 000003
【図３】
0004598172.tif 000004
【図４】
0004598172.tif 000005
【図５】
0004598172.tif 000006
【図６】
0004598172.tif 000007
【図７】
0004598172.tif 000008
【図８】
0004598172.tif 000009
【図９】
0004598172.tif 000010
【図１０】
0004598172.tif 000011